(57)【要約】 【課題】  容易な作業で碍子を覆うことができ、同時に、強風などでも容易に外れることのない簡単な構造を実現することにより、作業性を向上させるとともに、装置費用を削減して、碍子の養生を安価かつ効率よく行うことのできる養生カバーを提供すること。【解決手段】  鉄塔に電線を支持させる碍子の周囲を覆う養生カバー１０であって、碍子を内側に収容可能なリング形状にピアノ線を成形したフレーム部材１１ａ〜１１ｃと、碍子以上の長さでフレーム部材以上の幅に形成されたシート部材１２と、から構成されて、シート部材の挿入袋１２ａ内にフレーム部材を挿入して略平行に保持することにより、碍子の長さ方向に切り込まれたスリット１３を拡開・閉止可能にする。【選択図】      図１
2006120458.tif 000002
【特許請求の範囲】
【請求項１】
鉄塔に架設する電線を該鉄塔との間の絶縁を確保しつつ支持する碍子の周囲を覆う養生カバーであって、
碍子を内側に収容可能な円形または角形などの周形状に形成された線状の弾性材料からなる複数のフレーム部材と、該フレーム部材の長さ程度の幅で碍子以上の長さに形成されて当該フレーム部材を略平行になる姿勢に保持するシート部材と、から構成されて、
シート部材およびフレーム部材に形成される碍子の長さ方向のスリットを拡開させて該シート部材およびフレーム部材の内側に碍子を内装状態にすることにより該碍子の周囲を覆うことを特徴とする養生カバー。
【請求項２】
前記スリットの両側を連結する連結部材を設けたことを特徴とする請求項１に記載の養生カバー。
【請求項３】
前記スリットは、シート部材およびフレーム部材の重なる部分の間に形成されて、当該重なり部分を解消するように拡開させることを特徴とする請求項１または２に記載の養生カバー。
【請求項４】
前記電線または碍子に応じた種別を表示する手段を備えることを特徴とする請求項１から３のいずれかに記載の養生カバー。
【請求項５】
上記請求項１から４のいずれかに記載の養生カバーの使用方法であって、
前記フレーム部材を近接する状態にまとめて、シート部材およびフレーム部材のスリットを該フレーム部材の弾性力に抗して拡開させた状態にすることにより当該内側に碍子を内装した後に、該スリットを拡開させる力を解放することにより該フレーム部材を弾性復帰させて当該スリットを閉止し、この後に、該フレーム部材同士を離隔させる作業として、横方向の碍子に対しては引っ張ってスライドさせることにより、また、縦方向の碍子に対しては揺すって降下させることにより、当該碍子の周囲をシート部材により覆うことを特徴とする養生カバーの使用方法。
【発明の詳細な説明】
【技術分野】
【０００１】
本発明は、養生カバーおよびその使用方法に関し、詳しくは、鉄塔に電線を架設するための碍子を容易に覆うことのできる安価なものに関する。
【背景技術】
【０００２】
従来より、高圧電流の流れる送電線を鉄塔に架設するには、その送電線と鉄塔との間の絶縁性を確保する必要があり、そのために、送電線を碍子が鉄塔に支持するように構築されるのが一般的である。
【０００３】
この鉄塔は、防錆処理が施されて塗装されているが、定期的に錆落しや塗装処理を行う必要があり、その処理を行う際にペンキなどが碍子に付着してしまうと、その碍子の絶縁性を劣化させてしまう恐れがある。このため、鉄塔の防錆処理などの処理作業を行う場合には、碍子を覆って保護する養生が行われる。
【０００４】
この碍子の養生としては、錆落しなどの作業を行う前に、例えば、碍子を覆うことのできるサイズの布を準備して、その碍子全体に布を巻き付けて複数箇所を紐等で結ぶなどすることにより、その碍子の養生を行っていた。
【０００５】
また、絶縁操作棒によって保護板を碍子の先端に取り付けて、下方にネットを張るとともに、そのネットをドラムで巻き取ることのできる装置により、塗料の飛散を防止することも提案されている（例えば、特許文献１参照）。
【特許文献１】特開平７−１５５６５６号公報
【発明の開示】
【発明が解決しようとする課題】
【０００６】
しかしながら、このような従来の碍子の養生としては、碍子を布で覆って複数箇所を紐で結ぶという作業は面倒であり、時間が掛かってしまって効率的でない。また、このように布を紐で結ぶだけでは、結び方が不十分である場合などには、強風によって外れて、高圧電流の流れている送電線に絡み付いてしまう可能性があって、危険である。
【０００７】
また、文献１に記載の装置では、大掛かり過ぎて、その使用も煩雑であるとともに、複数箇所の碍子すべての養生を行う場合には、複数台準備して取り付ける必要があるので、効率も悪く、また、装置費用が掛かって、コスト高になってしまう。
【０００８】
そこで、本発明は、容易な作業で碍子を覆うことができ、同時に、強風などでも容易に外れることのない簡単な構造を実現することにより、作業性を向上させるとともに、装置費用を削減して、碍子の養生を安価かつ効率よく行うことのできる養生カバーおよびその使用方法を提供することを目的とする。
【課題を解決するための手段】
【０００９】
上記課題を解決する養生カバーの第１の発明は、鉄塔に架設する電線を該鉄塔との間の絶縁を確保しつつ支持する碍子の周囲を覆う養生カバーであって、碍子を内側に収容可能な円形または角形などの周形状に形成された線状の弾性材料からなる複数のフレーム部材と、該フレーム部材の長さ程度の幅で碍子以上の長さに形成されて当該フレーム部材を略平行になる姿勢に保持するシート部材と、から構成されて、シート部材およびフレーム部材に形成される碍子の長さ方向のスリットを拡開させて該シート部材およびフレーム部材の内側に碍子を内装状態にすることにより該碍子の周囲を覆うことを特徴とするものである。
【００１０】
この発明では、フレーム部材とシート部材のスリットを、そのフレーム部材の弾性力に抗して拡開させて内部に碍子を入れることができ、この後に、そのフレーム部材を解放してスリットを閉じる方向に弾性復帰させることにより、フレーム部材とシート部材の内部に碍子を内装することができる。したがって、鉄塔に電線を架設するための碍子の周囲を簡単な構造で容易に覆う状態にすることができる。
【００１１】
上記課題を解決する養生カバーの第２の発明は、上記第１の発明の特定事項に加え、前記スリットの両側を連結する連結部材を設けたことを特徴とするものである。
【００１２】
この発明では、フレーム部材とシート部材のスリットを拡開させて内部に碍子を入れた後に閉じたスリットの両側を連結することができる。したがって、内部に碍子を内装するフレーム部材とシート部材のスリットが拡開してしまうことを防止することができ、碍子を覆う状態が不完全になってしまったり、強風などに碍子から外れてしまうことを防止することができる。
【００１３】
上記課題を解決する養生カバーの第３の発明は、上記第１または第２の発明の特定事項に加え、前記スリットは、シート部材およびフレーム部材の重なる部分の間に形成されて、当該重なり部分を解消するように拡開させることを特徴とするものである。
【００１４】
この発明では、フレーム部材とシート部材のスリットを拡開させて内部に碍子を入れた後には、そのフレーム部材とシート部材が重なるようにしてスリットが閉じられる。したがって、フレーム部材とシート部材の内部に碍子を内装した後に、何等の作業を行うことなく、信頼性高くスリットを閉じた状態にすることができ、碍子を覆う状態が不完全になってしまうことを防止することができる。
【００１５】
上記課題を解決する養生カバーの第４の発明は、上記第１から第３の発明の特定事項に加え、前記電線または碍子に応じた種別を表示する手段を備えることを特徴とするものである。
【００１６】
この発明では、電線に流れる電圧や碍子のサイズなどに対応する種別が目視可能に表示されている。したがって、その表示を見るだけで、寸法などを測ることなく、使用するものを容易に選択することができる。
【００１７】
上記課題を解決する養生カバーの使用方法の発明は、上記の第１から第４の発明の養生カバーの使用方法であって、前記フレーム部材を近接する状態にまとめて、シート部材およびフレーム部材のスリットを該フレーム部材の弾性力に抗して拡開させた状態にすることにより当該内側に碍子を内装した後に、該スリットを拡開させる力を解放することにより該フレーム部材を弾性復帰させて当該スリットを閉止し、この後に、該フレーム部材同士を離隔させる作業として、横方向の碍子に対しては引っ張ってスライドさせることにより、また、縦方向の碍子に対しては揺すって降下させることにより、当該碍子の周囲をシート部材により覆うことを特徴としている。
【００１８】
この発明では、フレーム部材とシート部材を束ねた状態にして、拡開させたスリット内に碍子を入れて内部に内装した後に、碍子が延在する方向に引っ張ってスライドさせたり、揺すって降下させるだけで、その碍子の周囲を覆うように広げることができる。したがって、容易に碍子の周囲を覆う状態にすることができる。
【発明の効果】
【００１９】
このように本発明によれば、フレーム部材とシート部材のスリットから内部に碍子を入れるだけで、その碍子を内装する状態にすることができ、鉄塔に電線を架設するための碍子の周囲を容易に覆って養生することができる。したがって、大掛かりな装置を使用することなく、また、不十分な状態になることなく、簡単な構造で、かつ、容易な作業により碍子の周囲を確実に覆う状態にすることができ、碍子の養生を安価かつ効率よく行うことができる。
【発明を実施するための最良の形態】
【００２０】
以下、本発明の最良の実施形態を図面に基づいて説明する。図１〜図５は本発明に係る養生カバーの一実施形態を示す図である。
【００２１】
まず、養生カバーの構成を説明する。図１において、養生カバー１０は、図２に示す鉄塔１００に高圧電流の流れる送電線を連結して架設するために設置されている碍子１１０の周囲を覆うように使用するものであり、例えば、その鉄塔１００の錆落しや塗装等を行って防錆処理などの作業を行う際に、ペンキなどが付着して絶縁劣化を起こさせないように碍子１１０を覆って養生（保護）する。
【００２２】
鉄塔１００は、メインポスト（主柱材）１０１のアーム（腕金）１０２の先端側に、例えば、図３に示すような碍子１１０が設置されており、この碍子１１０は、硬質磁器などを大径部１１１と小径部１１２が連続する形状に成形することにより、その表面に何らかの液体が付着しても長さ方向に連続する部分を少なくして、その両端部間で絶縁破壊しないように作製されている。
【００２３】
また、碍子１１０は、所謂、コッタなどの取付金具１１３が両端部に埋設されており、この取付金具１１３を鉄塔１００のアーム１０２と不図示の電線とに連結することにより、鉄塔１００に送電線を連結支持して、絶縁性を確保しつつ架設することを実現している。
【００２４】
この碍子１１０は、図２に示すように、アーム１０２の先端部に吊り下げられることにより、送電線を縦方向の姿勢で支持する懸垂タイプのものと、図４に示すように、アーム１０２の両側に配設されるとともに一端側の取付金具１１３に取り付けたクランプ１１４と調整金具１１５を介して送電線Ｄをアーム１０２に接近しないように掴むことにより、その送電線Ｄを横方向の姿勢で支持する耐長タイプのものとがある。
【００２５】
そして、養生カバー１０は、リング形状に形成されたフレーム部材１１ａ〜１１ｃと、円筒形状に形成されたシート部材１２と、を組み立てることにより作製されている。フレーム部材１１ａ〜１１ｃは、ピアノ線などの弾性線材を、碍子１１０の大径部１１１よりも大きな内径を有するように変形させることにより作製されている。シート部材１２は、例えば、キャンバス（綿布）などのように丈夫な布材料を、フレーム部材１１ａ〜１１ｃの周長と同程度の幅で碍子１１０の長さよりも長めになる寸法の四角形状に裁断されて作製されている。
【００２６】
シート部材１２は、長さ方向の一端部の一箇所と、その長さ方向に４等分したときの中間部分の２箇所との合計３箇所に、フレーム部材１１ａ〜１１ｃを差込可能に袋状に形成されて幅方向に延在する挿入袋１２ａが共布を縫い付けるなどされることにより形成されており、この挿入袋１２ａは、フレーム部材１１ａ〜１１ｃを差込・挿入した後にそのフレーム部材１１ａ〜１１ｃが抜けないように両端部が縫い付けられて閉止されている。
【００２７】
これにより、シート部材１２は、フレーム部材１１ａ〜１１ｃを略平行になる姿勢に挿入袋１２ａ内で保持しており、長さ方向に切り込まれたスリット１３をフレーム部材１１ａ〜１１ｃの弾性力に抗して拡開させることにより、碍子１１０を内部に内装することができ、また、スリット１３を拡開させる力を解除してフレーム部材１１ａ〜１１ｃを弾性復帰させることにより、そのスリット１３を閉止して内部の碍子１１０の周囲を完全に覆う状態に内装することができる。ここでは、フレーム部材１１ａ〜１１ｃを円形のリング形状に形成する場合を一例に説明するが、これに限らないことはいうまでもなく、碍子１１０の外周の外側を一周できる形状であればよく、例えば、四角形などの多角形に形成してもよい。また、フレーム部材１１ａ〜１１ｃは、長さ方向の均等間隔にせずに、また、３本に限らずに、碍子１１０の形状に合わせて配置するようにしてもよいことはいうまでもない。
【００２８】
また、シート部材１２は、スリット１３の両側の両端辺に、互いに連結・剥離可能にフックとロープを備えた支持体からなる面ファスナー（所謂、マジックテープ（登録商標））１４ａ、１４ｂが縫い付けられて固設されており、この面ファスナー１４ａ、１４は、長さ方向に４等分したときの中間部分に配設されている。
【００２９】
すなわち、マジックテープ（登録商標）１４ａ、１４ｂは、スリット１３の両側のシート部材１２を連結する連結部材を構成しており、これにより、フレーム部材１１ａ〜１１ｃの弾性力により碍子１１０を内装するシート部材１２が、スリット１３を拡開させる方向の大きな外力が強風などにより加えられても、そのスリット１３が拡開してしまうことを制限（防止）することができ、碍子１１０を覆う状態が不完全になってしまったり、碍子１１０から外れてしまうことを防止することができる。
【００３０】
このシート部材１２は、フレーム部材１１ａ〜１１ｃを配設しない長さ方向他端部側に、その周方向に離隔する複数のハトメ１５が取り付けられており、このハトメ１５に紐部材１６が通されている。
【００３１】
これにより、シート部材１２は、フレーム部材１１ａ〜１１ｃのない他端部を紐部材１６により絞って結ぶことができ、内部に内装する碍子１１０を覆う状態が不完全になってしまったり、碍子１１０から外れてしまうことを防止することができる。
【００３２】
さらに、このシート部材１２は、用途を識別可能に、種別毎に異なる色の布材料により作製されており、送電線に流れる電圧に応じて碍子１１０のサイズや形状等が異なるが、それに対応して、フレーム部材１１ａ〜１１ｃのサイズや本数、シート部材１２のサイズなどが異なるのに合わせてシート部材１２の色も変更されている。例えば、送電線の電圧が６６ＫＶの場合にはグリーン、１１０ＫＶの場合にはグリーン、２２０ＫＶの場合には白、５００ＫＶの場合にはグリーンとする。なお、６６ＫＶ、１１０ＫＶ、５００ＫＶを同一色とするのは、耐圧から碍子１１０の長さが大きく異なるためであるが、異なる色にしてもよいことはいうまでもない。
【００３３】
これにより、シート部材１２の色を見ることにより、内装可能な碍子１１０の種別を判断することができ、言い換えると、送電線に流れる電圧に応じて使用する養生カバー１０を容易に選択することができる。ここでは、シート部材１２の種別を色により表示する場合を一例に説明するが、これに限るものではなく、例えば、異なる色の文字でその碍子１１０の種別や送電線の電圧を直接判別可能に表示しても良い。
【００３４】
なお、図１中の１７はリング部材であり、このリング部材１７は、シート部材１２の長さ方向の一端部側に配設されており、その周方向の均等間隔になる３箇所に取り付けられている。このリング部材１７は、その一端側に配設されたフレーム部材１１ａが内部を通過するように取り付けられている。これにより、このリング部材１７に不図示の絶縁操作棒などを引っ掛けることによりシート部材１２を引いたりすることができる。
【００３５】
次に、この養生カバー１０の使用方法を説明する。まず、フレーム部材１１ａ〜１１ｃを近接させてシート部材１２の全体としての形状もリング状になるようにまとめた後に、そのフレーム部材１１ａ〜１１ｃとシート部材１２を掴んで、フレーム部材１１ａ〜１１ｃの弾性力に抗するようにそのスリット１３を拡開させた状態にして、碍子１１０を内部に位置させる。この後に、そのスリット１３を拡開させる力を緩めることにより、そのフレーム部材１１ａ〜１１ｃを弾性復帰させて、シート部材１２が碍子１１０の周囲に位置する状態にする。
【００３６】
次いで、碍子１１０の他端側が隠れるように、シート部材１２の他端側の紐部材１６を引っ張って絞った状態にして結んだ後に、そのシート部材１２の一端側を引っ張って、碍子１１０の全体がシート部材１２の内部に内装された状態にする。このとき、シート部材１２は、碍子１１０が図４に示すように横に寝ている状態の耐長タイプの場合には、そのまま引っ張ってスライドさせることにより内装状態にすることができ、また、碍子１１０が図２に示すように縦に吊り下げた状態の懸垂タイプの場合には、揺すって降下させることにより、内装状態にすることができる。
【００３７】
この後に、マジックテープ（登録商標）１４ａ、１４ｂを連結してスリット１３が拡開してしまうことを制限することにより、強風などが加えられても、碍子１１０を覆う状態が不完全になってしまったり、碍子１１０から外れてしまうことを防止する。
【００３８】
したがって、従来技術のように、碍子１１０の周囲を覆う布の外周部分のすべてを紐で結ぶことなく、また、大掛かりな装置を設置することなく、フレーム部材１１ａ〜１１ｃの弾性力を利用して容易かつスピーディーに碍子１１０をシート部材１２の内部に内装することができ、鉄塔１００に設置されている複数の碍子１１０の外面を信頼性高く覆って保護（養生）することができる。
【００３９】
また、この養生カバー１０は、フレーム部材１１ａ〜１１ｃを拡開させることができることから、図５に示すように、碍子１１０が並列されている場合にも、その上部を覆うように被せることができ、落下するペンキなどが付着することを効果的に防止することもできる。
【００４０】
このように本実施形態においては、シート部材１２の挿入袋１２ａ内にフレーム部材１１ａ〜１１ｃを入れただけの簡易な構造の養生カバー１０で、鉄塔１００の碍子１１０の周囲を容易に覆って養生することができる。したがって、大掛かりな装置を使用することなく、簡単な構造の養生カバー１０を採用するだけで、容易で効率的な作業により碍子１１０を確実に覆うができる。この結果、碍子１１０を安価な装置・作業により効果的に養生することができる。
【００４１】
本実施形態の他の態様としては、図示することは省略するが、上述実施形態におけるフレーム部材１１ａ〜１１ｃやシート部材１２のスリット１３では、それぞれの端部が近接する状態であったが、フレーム部材１１ａ〜１１ｃやシート部材１２の端部を延長して互いに重複し重なり合うように形成してもよい。この場合には、スリットはその重なり部分の間に形成されることになり、フレーム部材を拡開させる力を緩めたときには、そのスリットによる隙間を解消するように閉じることができ、その隙間からペンキなどが進入することをより確実に未然に防止することができる。
【産業上の利用可能性】
【００４２】
これまで本発明の一実施形態について説明したが、本発明は上述の実施形態に限定されず、その技術的思想の範囲内において種々異なる形態にて実施されてよいことは言うまでもない。
【図面の簡単な説明】
【００４３】
【図１】本発明に係る養生カバーの一実施形態を示す図であり、その全体構成を示す斜視図である。
【図２】その養生カバーで養生する碍子が設置される鉄塔を示す立面図である。
【図３】その養生カバーを使用する碍子を示す平面図である。
【図４】その碍子の鉄塔への設置例を示す立面図である。
【図５】その養生カバーを流用可能か碍子を説明する平面図である。
【符号の説明】
【００４４】
１０    養生カバー
１１ａ〜１１ｃ    フレーム部材
１２    シート部材
１２ａ    挿入袋
１３    スリット
１４ａ、１４ｂ    マジックテープ（登録商標）
１５    ハトメ
１６    紐部材
１７    リング部材
１００    鉄塔
１０２    アーム
１１０    碍子
１１１    大径部
１１２    小径部
【図１】
2006120458.tif 000003
【図２】
2006120458.tif 000004
【図３】
2006120458.tif 000005
【図４】
2006120458.tif 000006
【図５】
2006120458.tif 000007